(57)【要約】【課題】ミラーとしての機能を有しながらも、軽量化が図れ、かつ見栄えを向上し得る戸パネルを提供する。【解決手段】戸パネル１は、戸厚方向両面のうちの少なくとも戸厚方向一方面の一部がミラー部２０となり、他の部位が非ミラー部２１となるように貼着された表面仕上シートと、前記表面仕上シートの非ミラー部が貼着された非ミラー基材１５と、該非ミラー基材よりも剛性を有するように厚さが大とされ、かつ表面１８ａが平滑面状とされ、前記表面仕上シートのミラー部が貼着されたミラー基材１６と、を備えており、前記ミラー基材は、このミラー基材の周囲の前記非ミラー基材と同一平面状となるように枠状芯材１０に固定されている。【選択図】図１
2016148204.tif 000002
【特許請求の範囲】
【請求項１】
戸厚方向両面のうちの少なくとも戸厚方向一方面の一部がミラー部となり、他の部位が非ミラー部となるように貼着された表面仕上シートと、前記表面仕上シートの非ミラー部が貼着された非ミラー基材と、該非ミラー基材よりも剛性を有するように厚さが大とされ、かつ表面が平滑面状とされ、前記表面仕上シートのミラー部が貼着されたミラー基材と、を備えており、
前記ミラー基材は、このミラー基材の周囲の前記非ミラー基材と同一平面状となるように枠状芯材に固定されていることを特徴とする戸パネル。
【請求項２】
請求項１において、
前記ミラー基材は、少なくとも表面側に硬質合成樹脂層を設けた構成とされていることを特徴とする戸パネル。
【請求項３】
請求項１または２において、
前記ミラー基材が固定される枠状芯材には、該ミラー基材とこのミラー基材の周囲の前記非ミラー基材とが同一平面状となるように、該ミラー基材を受け入れる凹段部が設けられていることを特徴とする戸パネル。
【請求項４】
請求項１または２において、
前記ミラー基材とこのミラー基材の周囲の前記非ミラー基材とが同一平面状となるように、この非ミラー基材とこの非ミラー基材が固定される枠状芯材との間にスペーサー部材を設けたことを特徴とする戸パネル。
【請求項５】
請求項１乃至４のいずれか１項において、
前記表面仕上シートの前記ミラー部と前記表面仕上シートの前記非ミラー部との間に目地を形成するように、前記ミラー基材と前記非ミラー基材との間に目地部材を設けたことを特徴とする戸パネル。
【発明の詳細な説明】
【技術分野】
【０００１】
本発明は、戸パネルに関する。
【背景技術】
【０００２】
従来より、戸パネルの厚さ方向一方面等に、化粧鏡や姿見等として、また、意匠上の観点等から鏡（ミラー）を配設したものが知られている。
例えば、下記特許文献１には、扉本体に、ミラー板の上下左右の縁部を保持する上下左右のアルミ材からなる縁材を設けたミラー扉が開示されている。
【先行技術文献】
【特許文献】
【０００３】
【特許文献１】特開２００４−１４３８５９号公報
【発明の概要】
【発明が解決しようとする課題】
【０００４】
しかしながら、上記特許文献１に記載されたようなミラー扉は、一般的にガラス板等からなるミラー板を、アルミ材からなる上下左右の縁材で保持させた構成としているので、比較的に重くなる傾向があった。また、ミラー板と上下左右の縁材とによって表面側に段差が形成され、更なる改善が望まれる。
【０００５】
本発明は、上記実情に鑑みてなされたものであり、ミラーとしての機能を有しながらも、軽量化が図れ、かつ見栄えを向上し得る戸パネルを提供することを目的としている。
【課題を解決するための手段】
【０００６】
前記目的を達成するために、本発明に係る戸パネルは、戸厚方向両面のうちの少なくとも戸厚方向一方面の一部がミラー部となり、他の部位が非ミラー部となるように貼着された表面仕上シートと、前記表面仕上シートの非ミラー部が貼着された非ミラー基材と、該非ミラー基材よりも剛性を有するように厚さが大とされ、かつ表面が平滑面状とされ、前記表面仕上シートのミラー部が貼着されたミラー基材と、を備えており、前記ミラー基材は、このミラー基材の周囲の前記非ミラー基材と同一平面状となるように枠状芯材に固定されていることを特徴とする。
【発明の効果】
【０００７】
本発明に係る戸パネルは、上述のような構成としたことで、ミラーとしての機能を有しながらも、軽量化が図れ、かつ見栄えを向上させることができる。
【図面の簡単な説明】
【０００８】
【図１】本発明の一実施形態に係る戸パネルの一例を模式的に示し、（ａ）は、（ｂ）におけるＸ−Ｘ線矢視に対応させた一部破断概略横断面図、（ｂ）は、同戸パネルの概略正面図である。
【図２】同戸パネルの一部破断概略横断面図及び一部拡大概略横断面図である。
【図３】本発明の他の実施形態に係る戸パネルの一例を模式的に示し、図２に対応させた一部破断概略横断面図及び一部拡大概略横断面図である。
【図４】本発明の更に他の実施形態に係る戸パネルの一例を模式的に示し、図２に対応させた一部破断概略横断面図及び一部拡大概略横断面図である。
【発明を実施するための形態】
【０００９】
以下に本発明の実施の形態について、図面に基づいて説明する。
なお、以下の各実施形態では、設置され、かつ閉鎖状態とされた戸パネルに対面した状態を基準として、手前側を前方、その逆側を後方とし、また、その状態を基準として、上下方向等の方向を説明する。
【００１０】
図１及び図２は、第１実施形態に係る戸パネルの一例を模式的に示す図である。
本実施形態に係る戸パネル１は、図１に示すように、開口を開閉する構成とされている。本実施形態では、戸パネル１を、個室２の開口（出入口）を開閉する構成としている。
個室２としては、店舗等に設けられる試着室（フィッティングルーム）等としてもよく、住居等の建物内に設けられるウォークインクローゼットや押入等としてもよい。また、本実施形態に係る戸パネル１は、このような個室２を開閉するように設置されるものに限られず、壁体によって間仕切られた一方側空間と他方側空間とを連通させる出入口を開閉するように設置されるものとしてもよい。また、必要に応じて、適宜の戸枠を設けるようにしてもよい。さらには、戸パネル１を、玄関土間や玄関フロアー等に設置される玄関収納等の収納箱体の開口を開閉する収納扉として設置するようにしてもよい。
【００１１】
戸パネル１は、上下に長尺状とされている。本実施形態では、１枚の戸パネル１によって個室２の開口を開閉する構成としている。
また、本実施形態では、戸パネル１を、上下方向に沿う軸廻りに回動自在に個室２を区画する仕切板や戸枠等に連結された開き戸としている。図例では、この戸パネル１の戸幅方向一端部をスライド蝶番等の回動連結部材を介して個室２の開口側部に連結した例を示している。
また、図例では、閉鎖状態で戸パネル１の後方に向く面（背面）が個室２を区画する仕切板の前端面に当接または近接する構成としている。つまり、図例では、戸パネル１を、閉鎖状態でアウトセット状に納められる構成としている。なお、このような態様に代えて、戸パネル１を、閉鎖状態でインセット状に納められる構成や、戸枠に建て付ける構成等としてもよい。
また、図例では、戸パネル１の前面側の戸幅方向両端側の角部を、面取り形状（図例では、Ｃ面取り形状）とした例を示している。なお、戸パネル１の背面側の戸幅方向両端側の角部も面取り形状としてもよく、さらには、角部を面取り形状としないようにしてもよい。
【００１２】
また、戸パネル１は、戸厚方向両面のうちの少なくとも戸厚方向一方面の一部がミラー部２０となり、他の部位が非ミラー部２１となるように貼着された表面仕上シート２０，２１を備えている。また、戸パネル１は、表面仕上シート２０，２１の非ミラー部２１が貼着された非ミラー基材１５と、表面仕上シート２０，２１のミラー部２０が貼着されたミラー基材１６と、を備えている。また、戸パネル１は、これら非ミラー基材１５及びミラー基材１６が固定される枠状芯材１０を備えている。
【００１３】
本実施形態では、戸パネル１の戸厚方向両面及び戸幅方向両端面、つまり、四周の全面に亘ってミラー部２０と非ミラー部２１とからなる表面仕上シート２０，２１を貼着した構成としている。
また、本実施形態では、戸パネル１の戸厚方向一方面としての前面の一部がミラー部２０となるように表面仕上シート２０，２１のミラー部２０を貼着した構成としている。また、本実施形態では、戸パネル１の前面の戸幅方向中央側部位がミラー部２０となるように表面仕上シート２０，２１のミラー部２０を貼着している。つまり、戸パネル１の四周面の残余の部位が非ミラー部２１となるように表面仕上シート２０，２１の非ミラー部２１を貼着している。非ミラー部２１は、戸パネル１の戸幅方向両端部の前面を構成する前面非ミラー部２１ａ，２１ａと面取り部を含む戸幅方向両側端面を構成する端面非ミラー部２１ｂ，２１ｂと背面を構成する背面非ミラー部２１ｃとからなる。なお、戸パネル１の上端面及び下端面の両方または一方にも表面仕上シート２０，２１の非ミラー部２１を貼着した態様としてもよい。
【００１４】
ミラー部２０は、ミラー（鏡）として機能する構成とされ、本実施形態では、このミラー部２０を、姿見として利用可能な構成としている。このミラー部２０の上下寸法や戸幅方向に沿う寸法（幅寸法）は、成人の概ね全身が映るような寸法等としてもよい。また、本実施形態では、ミラー部２０を、戸厚方向に見て、上下方向に長尺な矩形状としている。また、本実施形態では、このミラー部２０を、当該戸パネル１の全長に亘って設けている。なお、ミラー部２０は、パネル厚さ方向に見て矩形状とされたものに限られず、種々の形状とされたものとしてもよい。
【００１５】
前面非ミラー部２１ａ，２１ａは、本実施形態では、戸パネル１の前面のミラー部２０の戸幅方向両側のそれぞれに連なるように設けられている。これら前面非ミラー部２１ａ，２１ａは、当該戸パネル１の前面の戸幅方向両端部の全長に亘って設けられている。
また、これら前面非ミラー部２１ａ，２１ａの戸幅方向に沿う寸法（幅寸法）は、戸パネル１の施工や開閉の際におけるミラー部２０への手指の接触を抑制可能なように、適宜の寸法としてもよい。また、これら前面非ミラー部２１ａ，２１ａの幅寸法を、ミラー部２０が当該戸パネル１の前面において大半を占めるように適宜の寸法としてもよい。例えば、これら前面非ミラー部２１ａ，２１ａの幅寸法を足し合わせた寸法よりも、ミラー部２０の幅寸法が大となるようにしてもよい。図例では、ミラー部２０の幅寸法を、前面非ミラー部２１ａ，２１ａの幅寸法を足し合わせた寸法の３倍程度とした例を示している。
また、本実施形態では、これら前面非ミラー部２１ａ，２１ａの幅寸法を、互いに略同寸法としている。つまり、ミラー部２０を、当該戸パネル１の前面の戸幅方向中央部に設けた構成としている。なお、このような態様に代えて、戸幅方向両側の前面非ミラー部２１ａ，２１ａの幅寸法を、互いに異なる寸法としてもよい。
【００１６】
また、本実施形態では、図１に示すように、戸幅方向両端部のうちの一方の前面非ミラー部２１ａに位置するように、開閉操作部４を設けた構成としている。なお、図２〜図４では、開閉操作部４の図示を省略している。
この開閉操作部４は、当該戸パネル１の吊元側とは異なる側となる戸先側端部の前面に位置するように設けられている。図例では、開閉操作部４を、戸パネル１の戸先側端部の上下方向途中部位の前面に付設状に設けられたバーハンドル状の取手としている。なお、開閉操作部４としては、このような態様とされたものに限られず、戸パネル１の納め態様や戸の種類等に応じて、適宜の態様とされたものとしてもよい。例えば、開閉操作部４を、レバーハンドル状やノブ（握り玉）状、プッシュハンドル状とされたものや、更には、掘り込み状に設けられた引手等としてもよい。
【００１７】
端面非ミラー部２１ｂ，２１ｂは、戸幅方向両側の前面非ミラー部２１ａ，２１ａのそれぞれに連なるように設けられている。
背面非ミラー部２１ｃは、戸幅方向両側の端面非ミラー部２１ｂ，２１ｂのそれぞれに連なるように設けられている。
また、これら非ミラー部２１ａ，２１ａ，２１ｂ，２１ｂ，２１ｃ（以下では、これらを総称して非ミラー部２１とする場合がある。）は、手指の接触による汚れ等が目立ち難いように、木目模様等の適宜の色柄の化粧面としてもよい。
これら非ミラー部２１及びミラー部２０を構成する表面仕上シート２１，２０は、可撓性を有した薄シート状（フィルム状）とされている。
【００１８】
ミラー部２０は、例えば、透明樹脂シート等のシート材の裏面（または表面）に、アルミ等の金属を蒸着等した態様とされたものとしてもよく、または、例えば、鏡面仕上が施された金属系シート等としてもよい。
また、非ミラー部２１は、透明樹脂シート等のシート材の表面（または裏面）に、木目模様等の色柄を印刷や塗装等した態様とされたものとしてもよい。
本実施形態では、表面仕上シート２０，２１のミラー部２０と表面仕上シート２０，２１の非ミラー部２１とを別体、つまり、ミラーシートと非ミラーシートとからなる構成としている。また、一枚のミラー部２０を、上記のように前面の戸幅方向中央側部位に貼着し、一枚の非ミラー部２１を、巻き付けるようにして上記した部位に貼着した態様としている。
【００１９】
なお、このような態様に代えて、非ミラー部２１を、複数枚からなるものとしてもよい。さらには、ミラー部２０と非ミラー部２１とが一体的に形成されたものとしてもよい。例えば、透明樹脂シートのミラー部２０となる部位の裏面（または表面）に、アルミ等の金属を蒸着等してミラー部２０とし、この透明樹脂シートの非ミラー部２１となる部位の表面（または裏面）に、木目模様等の色柄を印刷や塗装等して非ミラー部２１としたような態様としてもよい。または、例えば、鏡面仕上が施された金属系シートの非ミラー部２１となる部位の表面に、木目模様等の色柄を印刷や塗装等して非ミラー部２１とし、残余の部位をミラー部２０としたような態様等としてもよい。
【００２０】
また、これらミラー部２０及び非ミラー部２１は、図２に示すように、適宜の接着剤１９等によって、後記するミラー基材１６及び非ミラー基材１５に貼着されたものとしてもよい。また、本実施形態のように、ミラー部２０と非ミラー部２１とが別体とされている場合には、ミラー部２０を貼着したミラー基材１６及び非ミラー部２１を貼着した非ミラー基材１５を枠状芯材１０に固定する態様としてもよい。または、枠状芯材１０に固定された非ミラー基材１５及びミラー基材１６に対して非ミラー部２１及びミラー部２０を貼着する態様としてもよい。
【００２１】
非ミラー部２１が貼着される非ミラー基材１５は、薄板状とされている。
この非ミラー基材１５は、上記した非ミラー部２１に対応するように設けられている。
つまり、前面非ミラー部２１ａ，２１ａが貼着される前面非ミラー基材１５ａ，１５ａ、端面非ミラー部２１ｂ，２１ｂが貼着される端面非ミラー基材１５ｂ，１５ｂ及び背面非ミラー部２１ｃが貼着される背面非ミラー基材１５ｃを設けた構成としている。
これら前面非ミラー基材１５ａ，１５ａ、端面非ミラー基材１５ｂ，１５ｂ及び背面非ミラー基材１５ｃは、後記する枠状芯材１０の前面側の戸幅方向両端部、戸幅方向両端面及び背面に固定されている。
また、これら前面非ミラー基材１５ａ，１５ａ、端面非ミラー基材１５ｂ，１５ｂ及び背面非ミラー基材１５ｃは、裏面側に枠状芯材１０の四周の角部に応じて設けられた折曲溝の部位において折り曲げられて枠状芯材１０に一連状に固定されたものとしてもよい。
また、非ミラー基材１５は、一般的なフラッシュパネルの面材と同様な構成とされたものとしてもよく、例えば、厚さ寸法が２ｍｍ〜３ｍｍ程度のＭＤＦ（中密度繊維板）や合板等の木質系材料からなるものとしてもよい。また、非ミラー基材１５は、釘やタッカー等の適宜の止具や接着剤等によって枠状芯材１０に固定されたものとしてもよい。
【００２２】
ミラー部２０が貼着されるミラー基材１６は、非ミラー基材１５よりも剛性を有するように厚さが大とされ、かつ表面１８ａが平滑面状とされている。
このミラー基材１６は、上記したミラー部２０に対応するように設けられている。つまり、このミラー基材１６は、前面側の戸幅方向中央側部位に位置するように設けられている。
このミラー基材１６は、非ミラー基材１５よりも反りや撓み等が生じ難い剛性を有したものとなるように、また、軽量化を図る観点から、適宜の厚さとされたものとしてもよい。例えば、このミラー基材１６の厚さ寸法を、３ｍｍ〜１５ｍｍ程度、好ましくは、４ｍｍ〜１０ｍｍ程度、より好ましくは４ｍｍ〜６ｍｍ程度としてもよい。
【００２３】
本実施形態では、図２に示すように、ミラー基材１６を、少なくとも表面側に硬質合成樹脂層１８を設けた構成としている。また、本実施形態では、ミラー基材１６を、木質系基材１７の表面側に硬質合成樹脂層１８を設けた構成としている。
木質系基材１７は、上記した非ミラー基材１５と同様な木質系材料から形成されたものとしてもよく、また、この木質系基材１７の厚さを、非ミラー基材１５の厚さ以上としてもよい。本実施形態では、この木質系基材１７の厚さを、非ミラー基材１５の厚さよりも大としている。図例では、木質系基材１７の厚さを、非ミラー基材１５の厚さの１．３倍程度とした例を示している。なお、硬質合成樹脂層１８の態様によっては、木質系基材１７の厚さを、非ミラー基材１５の厚さよりも小としてもよい。
【００２４】
硬質合成樹脂層１８は、強度や表面１８ａの平滑性の観点等から、適宜の硬質合成樹脂系材料を含んだものとしてもよい。例えば、当該ミラー基材１６を、木質系基材１７の表面に、紙やシート等を貼着し、ポリエステル樹脂（不飽和ポリエステル）を塗布した（含浸させた）、いわゆるポリエステル化粧板としてもよい。または、硬質合成樹脂層１８を構成するメラミン化粧板を、木質系基材１７に貼着した態様等としてもよい。また、木質系基材１７の表面に適宜の合成樹脂（例えば、ウレタンやポリエステル等）を塗布し、表面研磨等の平滑面化する処理が施されたものとしてもよい。また、硬質合成樹脂層１８としては、ガラス繊維や炭素繊維等の強化繊維を含んだものとしてもよい。
【００２５】
このミラー基材１６の表面１８ａは、例えば、ＪＩＳ  Ｂ０６０１：１９９４に準拠して測定して算出された十点平均粗さ（ＲＺＪＩＳ９４）が、１０．０μｍ以下、好ましくは、５．０μｍ以下とされたものとしてもよい。
また、ミラー基材１６は、このミラー基材１６の周囲の非ミラー基材１５と略同一平面状となるように枠状芯材１０に固定されている。つまり、ミラー基材１６は、このミラー基材１６の戸幅方向両側の前面非ミラー基材１５ａ，１５ａと略同一平面状となるように枠状芯材１０に固定されている。
本実施形態では、ミラー基材１６が固定される枠状芯材１０に、ミラー基材１６とこのミラー基材１６の両側の前面非ミラー基材１５ａ，１５ａとが略同一平面状となるように、ミラー基材１６を受け入れる凹段部１４，１４を設けた構成としている。
【００２６】
枠状芯材１０は、長手方向を上下方向に沿わせた縦枠材１１，１１，１３，１３と長手方向を戸幅方向に沿わせた横枠材１２とを備えている。この枠状芯材１０は、戸幅方向両端側の縦枠材１１，１１と上下の横枠材１２とからなる四周枠と、この四周枠内に設けられた枠材１３，１３と、を備えた構成とされている。戸幅方向両端側の縦枠材１１，１１は、その前面側の戸幅方向外方側の角部が上記した面取り形状に対応させた面取り形状とされている。
また、本実施形態では、ミラー基材１６と非ミラー基材１５との境界部に位置するように、枠材としての中間縦枠材１３，１３を設けた構成としている。つまり、ミラー基材１６とこれの戸幅方向両側の前面非ミラー基材１５ａ，１５ａとのそれぞれの境界部に位置するように一対の中間縦枠材１３，１３を設けた構成としている。また、これら中間縦枠材１３，１３のそれぞれに凹段部１４，１４を設けた構成としている。
凹段部１４，１４は、中間縦枠材１３，１３のそれぞれに戸幅方向中央側及び戸厚方向一方側に向けて開口するように切欠状に設けられている。また、図示は省略しているが、上下の横枠材１２にも戸厚方向一方側に向けて開口するように切欠状に凹段部（凹部）が設けられている。
【００２７】
これら凹段部１４，１４の戸厚方向に沿う深さ寸法は、ミラー基材１６の厚さ寸法から非ミラー基材１５の厚さ寸法を差し引いた寸法に応じた寸法とされている。また、これら凹段部１４，１４の戸幅方向中央側に向く段壁面間の戸幅方向に沿う寸法は、ミラー基材１６の戸幅方向に沿う寸法に応じた寸法とされている。図例では、中間縦枠材１３，１３の戸幅方向略半部に凹段部１４，１４を設けた例を示している。
これら凹段部１４，１４の各段壁面にミラー基材１６の戸幅方向両側の各端面を当接させ、戸厚方向一方側に向く段底面にミラー基材１６の裏面を当接させてミラー基材１６が枠状芯材１０に固定されている。このミラー基材１６は、釘やタッカー等の適宜の止具や接着剤等によって枠状芯材１０に固定されたものとしてもよい。
また、上下の横枠材１２及び中間縦枠材１３，１３の凹段部１４，１４が設けられていない部位や、一対の縦枠材１１，１１の戸厚方向一方側に向く前面に前面非ミラー基材１５ａ，１５ａの裏面を当接させて前面非ミラー基材１５ａ，１５ａが枠状芯材１０に固定されている。また、本実施形態では、これらミラー基材１６及び前面非ミラー基材１５ａ，１５ａを、ミラー基材１６の戸幅方向両側の各端面と前面非ミラー基材１５ａ，１５ａの戸幅方向中央側に向く各端面とが当接するように、枠状芯材１０に固定している。
【００２８】
なお、各枠材１１，１１，１３，１３，１２は、合板やＬＶＬ（単板積層材）等の木質積層板、パーティクルボード等の木質ボード、インシュレーションボードやＭＤＦ等の木質繊維板などの木質系材料から形成されたものとしてもよい。また、各枠材１１，１１，１３，１３，１２は、合成樹脂系材料に、木粉や無機フィラー、相溶化剤、着色剤などを所定の含有割合で含有させた木粉・プラスチック複合材（ＷＰＣ）から形成されたものとしてもよい。また、一対の中間縦枠材１３，１３間に、さらに縦枠材や横枠材を設けるようにしてもよい。この場合は、縦枠材や横枠材の戸厚方向に沿う寸法を、中間縦枠材１３，１３の凹段部１４，１４が設けられた部位の戸厚方向に沿う寸法に応じた寸法とすればよい。また、戸幅方向両端側の縦枠材１１，１１とこれに隣接する中間縦枠材１３，１３との間に、さらに縦枠材や横枠材を設けるようにしてもよい。
また、このような枠材１１，１１，１３，１３，１２によって囲まれた空間に、適宜、ペーパーコア（ハニカムコア）や発泡樹脂等のコア材を充填するようにしてもよい。
【００２９】
本実施形態に係る戸パネル１は、上述のような構成としたことで、ミラーとしての機能を有しながらも、軽量化が図れ、かつ見栄えを向上させることができる。
つまり、戸厚方向両面のうちの少なくとも戸厚方向一方面の一部がミラー部２０となり、他の部位が非ミラー部２１となるように表面仕上シート２０，２１を貼着した構成としている。従って、当該戸パネル１を、ミラーとして機能させることができ、例えば、化粧鏡や姿見等として利用したり、すっきりとした外観にすることができる。また、ガラス板等からなるミラー板を設けたものや、このようなミラー板をアルミ材からなる縁材によって保持させたようなものと比べて、軽量化を図ることができる。これにより、戸パネル１を開閉自在に支持する蝶番や、ランナー、レール等への負荷を低減することができ、戸パネル１として好適なものとなる。
【００３０】
また、非ミラー部２１が貼着された非ミラー基材１５よりも剛性を有するように厚さが大とされ、かつ表面１８ａが平滑面状とされ、ミラー部２０が貼着されたミラー基材１６を備えた構成としている。従って、ミラー基材１６が反ったり、撓んだりし難くなり、ミラー部２０の平面性を向上させることができる。つまり、ミラー部２０の表面が湾曲したり、波打ったような外観となったり、基材表面の凹凸に追従したような凹凸形状となったりするようなことを抑制することができ、ミラーとしての外観性を向上させることができる。また、このようにミラー部２０の外観性の向上が可能でありながらも、非ミラー基材１５の薄型化を図ることができ、軽量化をより図ることができる。
また、このミラー基材１６を、このミラー基材１６の周囲の非ミラー基材１５と同一平面状となるように枠状芯材１０に固定した構成としている。従って、フラッシュパネル状であるのでより軽量化を図ることができる。また、ミラー基材１６の表面１８ａ及びこれの周囲の前面非ミラー基材１５ａ，１５ａの表面にそれぞれ貼着されたミラー部２０と前面非ミラー部２１ａ，２１ａとが略同一平面状となって段差が略形成されることがなく、見栄えを向上させることができる。
【００３１】
また、本実施形態では、ミラー基材１６が固定される枠状芯材１０に、ミラー基材１６とこのミラー基材１６の周囲の前面非ミラー基材１５ａ，１５ａとが同一平面状となるようにミラー基材１６を受け入れる凹段部１４，１４を設けている。従って、ミラー基材１６を枠状芯材１０の凹段部１４，１４に受け入れさせて固定することができるので、ミラー基材１６の位置決めを容易に行うことができる。また、例えば、非ミラー基材１５と枠状芯材１０との間にスペーサー部材を設けたようなものと比べて、部材点数を削減することができる。
【００３２】
また、本実施形態では、ミラー基材１６を、少なくとも表面１８ａ側に硬質合成樹脂層１８を設けた構成としている。従って、ミラー基材１６の表面側に木質系材料が露出するようなものと比べて、表面１８ａの平滑性をより向上させることができる。
また、本実施形態では、ミラー基材１６を、木質系基材１７の表面に硬質合成樹脂層１８を設けた構成としている。従って、例えば、ミラー基材１６の全体を、比重が１．２〜１．７程度の一般的な硬質合成樹脂系材料から形成されたものとした場合と比べて、より軽量化を図ることができる。
また、本実施形態では、戸パネル１の戸幅方向両端部を、非ミラー部２１ａ，２１ａ，２１ｂ，２１ｂ，２１ｃとしている。従って、施工や開閉操作の際に手指が接触し易くなる部位となる戸幅方向両端部が非ミラー部２１ａ，２１ａ，２１ｂ，２１ｂ，２１ｃであるので、施工や開閉操作の際に、戸幅方向両端部に手指が接触した場合にも、汚れ等を目立ち難くすることができる。
【００３３】
次に、本発明に係る他の実施形態について、図面を参照しながら説明する。
図３は、第２実施形態に係る戸パネルを模式的に示す図である。
なお、上記第１実施形態との相違点について主に説明し、同様の構成については、同一の符号を付し、その説明を省略または簡略に説明する。また、本実施形態に係る戸パネル１Ａも、上記同様、個室２の開口や壁体に設けられた出入口を開閉するように設置される。
【００３４】
本実施形態に係る戸パネル１Ａは、図３に示すように、ミラー部２０と非ミラー部２１との間に目地を形成するように、ミラー基材１６と非ミラー基材１５との間に目地部材２２を設けた構成としている。
本実施形態では、上記同様、戸幅方向中央側部位に設けられたミラー基材１６の戸幅方向両側のそれぞれに目地部材２２，２２を設けた構成としている。
これら目地部材２２，２２は、ミラー部２０と非ミラー部２１との境界部の全長に亘って設けられている。つまり、これら目地部材２２，２２は、戸パネル１の全長に亘って設けられている。
【００３５】
これら目地部材２２，２２は、背面を枠状芯材１０の前面に当接させ、それぞれの前面がこれらの両側のミラー部２０及び前面非ミラー部２１ａ，２１ａと略同一平面状となるように設けられている。また、これら目地部材２２，２２の戸幅方向両側面に、ミラー基材１６及び前面非ミラー基材１５ａ，１５ａの端面並びにミラー部２０及び前面非ミラー部２１ａ，２１ａの端面が当接される。なお、このような態様に代えて、ミラー基材１６と前面非ミラー基材１５ａとの間に差し入れられたミラー部２０や前面非ミラー部２１ａ，２１ａの端部を、目地部材２２，２２によって押えるように納める態様としてもよい。
【００３６】
また、図例では、目地部材２２，２２を、四角柱状とした例を示しているが、四角筒状とされたものや、背面側において開口する断面略Ｕ字状（コ字状）等とされたものとしてもよい。また、目地部材２２，２２の戸幅方向両側面に、抜け止めの突起等を設けたような態様等としてもよい。また、これら目地部材２２，２２は、上記同様な木質系材料から形成されたものとしてもよく、または、硬質の合成樹脂系材料や金属系材料等から形成されたものとしてもよい。また、目地部材２２，２２は、ミラー基材１６と前面非ミラー基材１５ａとの間に挿入するのみで固定する態様としてもよく、または、接着剤等によって固定するようにしてよい。
【００３７】
本実施形態に係る戸パネル１Ａにおいても、上記した第１実施形態と略同様の効果を奏する。
また、本実施形態では、ミラー部２０と非ミラー部２１との間に目地を形成するように、ミラー基材１６と非ミラー基材１５ａ，１５ａとの間に目地部材２２，２２を設けている。従って、ミラー部２０と非ミラー部２１との境界部を目地部材２２，２２によって見切ることができる。また、ミラー部２０の端部及び非ミラー部２１の端部を、目地部材２２，２２に突き合わせたり、目地部材２２，２２によってミラー基材１６と非ミラー基材１５５ａ，１５ａとの間に押し込むように納めることができ、見栄えを向上させることができる。
【００３８】
次に、本発明に係る更に他の実施形態について、図面を参照しながら説明する。
図４は、第３実施形態に係る戸パネルを模式的に示す図である。
なお、上記各実施形態との相違点について主に説明し、同様の構成については、同一の符号を付し、その説明を省略または簡略に説明する。また、本実施形態に係る戸パネル１Ｂも、上記同様、個室２の開口や壁体に設けられた出入口を開閉するように設置される。
【００３９】
本実施形態に係る戸パネル１Ｂは、ミラー基材１６が固定される枠状芯材１０Ａの構成が、上記各実施形態とは主に異なる。
本実施形態では、図４に示すように、ミラー基材１６とこのミラー基材１６の周囲の非ミラー基材１５とが同一平面状となるように、この非ミラー基材１５とこの非ミラー基材１５が固定される枠状芯材１０Ａとの間にスペーサー部材２５を設けた構成としている。本実施形態では、ミラー基材１６の戸幅方向両側の前面非ミラー基材１５ａ，１５ａと中間縦枠材１３Ａ，１３Ａとの間にスペーサー部材２５，２５を設けた構成としている。つまり、上記のような中間縦枠材１３，１３にミラー基材１６と前面非ミラー基材１５ａ，１５ａとの厚さ寸法差を吸収する凹段部１４，１４を設けた態様に代えて、中間縦枠材１３Ａ，１３Ａの前面側にスペーサー部材２５，２５を設けた構成としている。
【００４０】
また、本実施形態では、これらスペーサー部材２５，２５を、上記同様な目地部材を構成する目地部２４，２４と一体的に形成されたＬ型部材２３，２３の一片部としてのスペーサー部２５，２５としている。
これらスペーサー部２５，２５と目地部２４，２４とからなるＬ型部材２３，２３は、戸パネル１の全長に亘って設けられている。
また、これらスペーサー部２５，２５の戸厚方向に沿う厚さ寸法は、ミラー基材１６の厚さ寸法から非ミラー基材１５の厚さ寸法を差し引いた寸法に応じた寸法とされている。つまりは、これらスペーサー部２５，２５の厚さ寸法と非ミラー基材１５の厚さ寸法とを足し合わせた寸法がミラー基材１６の厚さ寸法に応じた寸法とされている。
また、これらスペーサー部２５，２５の戸幅方向に沿う寸法は、前面非ミラー基材１５ａ，１５ａを中間縦枠材１３Ａ，１３Ａに安定的に固定可能なように適宜の寸法としてもよい。
【００４１】
これらスペーサー部２５，２５を有したＬ型部材２３，２３は、中間縦枠材１３Ａ，１３Ａに止具や接着剤等によって適宜、固定されるものとしてもよい。または、これらＬ型部材２３，２３は、前面非ミラー基材１５ａ，１５ａとともに適宜の止具によって中間縦枠材１３Ａ，１３Ａに固定されるものとしてもよい。
また、中間縦枠材１３Ａ，１３Ａの戸厚方向に沿う寸法は、他の枠材１１，１１，１２Ａの戸厚方向に沿う寸法からスペーサー部２５，２５の厚さ寸法を差し引いた寸法に応じた寸法とされている。また、上下の横枠材１２Ａには、ミラー基材１６及び両側のスペーサー部２５，２５（Ｌ型部材２３，２３）の戸幅方向に沿う寸法に応じた切欠状の凹部が戸厚方向一方側に向けて開口するように設けられている。
【００４２】
本実施形態に係る戸パネル１Ｂにおいても、上記した各実施形態と略同様の効果を奏する。
また、本実施形態では、ミラー基材１６とこのミラー基材１６の周囲の非ミラー基材１５とが同一平面状となるように、この非ミラー基材１５とこの非ミラー基材１５が固定される枠状芯材１０Ａとの間にスペーサー部材（スペーサー部）２５を設けている。従って、例えば、上記のように枠状芯材１０の中間縦枠材１３，１３を切削等してミラー基材１６を受け入れる凹段部１４を設けたようなものと比べて、枠状芯材１０Ａの中間縦枠材１３Ａ，１３Ａの構造の簡略化を図ることができる。
なお、本実施形態では、スペーサー部２５に一体的に目地部２４を設けた構成とした例を示しているが、これらを別体とされたものとしてもよく、または、目地部２４を設けずにスペーサー部（スペーサー部材）２５のみを設けた態様としてもよい。
【００４３】
また、上記各実施形態では、戸厚方向一方面としての前面のみにミラー部２０を設けた態様としているが、戸厚方向他方面としての背面にもミラー部２０を設けるようにしてもよい。この場合は、背面非ミラー基材１５ｃや枠状芯材１０（１０Ａ）を適宜、変形し、背面側にもミラー基材１６を設けるようにすればよい。
また、背面非ミラー部２１ｃを戸パネル１，１Ａ，１Ｂの背面の全面に亘って設けた態様に代えて、戸パネル１，１Ａ，１Ｂの背面の戸幅方向両端部のみ等に背面非ミラー部２１ｃを設けた態様としてもよく、さらには、背面非ミラー部２１ｃを設けないようにしてもよい。また、戸パネル１，１Ａ，１Ｂの戸幅方向両端面にも端面非ミラー部２１ｂ，２１ｂを設けないようにしてもよい。つまりは、戸パネル１，１Ａ，１Ｂの前面のみにミラー部２０及び非ミラー部２１ａ，２１ａを設けた態様としてもよい。
また、上記各実施形態では、ミラー部２０を、戸パネル１，１Ａ，１Ｂの全長に亘って設けた例を示しているが、戸パネル１，１Ａ，１Ｂの長手方向の途中部位のみに設けた態様としてもよい。この場合は、ミラー部２０の長手方向両側に、非ミラー部２１を設けるようにしてもよい。
【００４４】
また、上記各実施形態では、ミラー基材１６を、木質系基材１７の表面側に硬質合成樹脂層１８を設けた構成とした例を示しているが、非ミラー基材１５よりも剛性を有し、かつ表面１８ａが平滑面状とされたものであればよく、種々の変形が可能である。
また、上記各実施形態では、個室２の開口を、１枚の戸パネル１，１Ａ，１Ｂによって開閉する態様とした例を示しているが、このような態様に限られない。例えば、個室２の開口や壁体に設けられた出入口を、各実施形態に係る戸パネル１，１Ａ，１Ｂを含む互いに同様の構成または異なる構成とされた複数枚の戸パネルによって開閉する態様としてもよい。また、上記各実施形態では、戸パネル１，１Ａ，１Ｂを、比較的に上下寸法が大とされた個室２の開口を開閉するものとした例を示しているが、鏡台や洗面化粧台等の上側部位の収納部の開口を開閉するもの等としてもよく、左右に長尺状とされたもの等としてもよい。この場合は、上記した戸パネル１，１Ａ，１Ｂの上下方向を左右方向として把握するようにしてもよい。
また、上記各実施形態では、戸パネル１，１Ａ，１Ｂを、開き戸とした例を示しているが、引戸や、折戸の戸板を構成するものとしてもよい。
【符号の説明】
【００４５】
１，１Ａ，１Ｂ  戸パネル
１０，１０Ａ    枠状芯材
１４            凹段部
１５            非ミラー基材
１６            ミラー基材
１８            硬質合成樹脂層
１８ａ          表面
２０            ミラー部（表面仕上シート）
２１            非ミラー部（表面仕上シート）
２２            目地部材
２４            目地部（目地部材）
２５            スペーサー部（スペーサー部材）
【図１】
2016148204.tif 000003
【図２】
2016148204.tif 000004
【図３】
2016148204.tif 000005
【図４】
2016148204.tif 000006